(57)【特許請求の範囲】
【請求項１】
道糸の走行経路の中途部直下の両側に配設した上下二段のブラケットに対向状に軸支されたスプロケットと、該スプロケットに懸回した無端チェンの対向間に、所要間隔を存して上下回動自在に跨設された上部開放状の複数個の着色剤充填容器と、該容器に充填される着色剤に表面の一部を接触する位置に回転自在に配設されたペイントローラとからなり、着色時にペイントローラを下方から道糸に間欠的に当接させて着色するように構成したことを特徴とする魚釣用道糸の着色装置。
【請求項２】
道糸の走行経路の中途部直下に配設した架台に水平回動自在に軸支した円盤状フレームと、該フレームの外周に放射状に配設した上部開放状の多数個の着色剤充填容器と、該容器に充填される着色剤に表面の一部を接触する位置に回転自在に配設されたペイントローラと、上記ペイントローラの下方に位置させて架台に配設されたペイントローラの昇降機構とからなり、着色時に昇降機構を介してペイントローラを上昇させ、下方から道糸に間欠的に当接させて着色するように構成したことを特徴とする魚釣用道糸の着色装置。
【発明の詳細な説明】
【０００１】
【発明の属する技術分野】
本発明は、魚釣用道糸の着色装置に係り、詳しくは、一基の着色装置でありながら、走行する道糸に対して一定長毎に間欠的に、しかも多色に着色することができる着色装置に関するものである。
【０００２】
【従来の技術】
文化生活の向上は必然的に余暇を楽しむゆとりを招来し、これに対応して様々なレジャー産業が出現している。特にレジャーとしての魚釣りは大自然の中で、リラックスした雰囲気で楽しむことができるところから、最近ではブームの高まりが女性層まで広がりをみせている。
【０００３】
しかしながら、レジャーとしての魚釣りも、終局的には所望する釣果が得られてこそ、その楽しみも一層倍加するものであって、この事実はアンケートによって「アタリ」の感触を得ることが第１位をしめていることからも明らかである。
【０００４】
ところで、魚釣りの基本的な技法は、魚類の遊泳する棚を探り、ポイントへ仕掛けを送りこむことであるが、この送り込みの善し悪しが釣果に大きく影響を与えるものである。そのうえ、送り込まれた道糸が狙ったポイントに正確に送り込まれたかの確認は、道糸の水際位置を釣り人自身が目で追うことによって行われるため、道糸には視認し易いように一定長毎に様々な色が着色されている。
【０００５】
従来、間欠的な着色を自動的に行い得る着色装置として、例えば着色浴に収容した着色剤に表面の一部を接触し得るようにペイントローラを回転自在に配置し、着色浴とペイントローラとを昇降機構によって片持状に支持し、ペイントローラの上方を走行する道糸にペイントローラを間欠的に当接させて着色するようにした着色装置が提案されている（実開平６−３３９９０号公報）。
【０００６】
ところが、上記のような着色装置では、道糸に対する着色が一色に限定される欠点があり、この欠点を除去して多色に着色するためには、道糸の走行方向の直下に所要間隔を存して複数基の着色装置を配設するとともに、道糸の走行速度、ペイントローラの相対位置と直径などをパラメータとし、コンピュータユニット（ＣＰＵ）搭載のシーケンスコントローラで制御しなければ、各着色装置の昇降タイミングを適切に制御することができないという欠点がる。
【０００７】
【発明が解決しようとする課題】
本発明は上記のような実状に鑑み、従来の欠点を一掃すべく創案されたものであって、その意図するところは、一基の着色装置でありながら、簡単な操作で走行する道糸を一定長毎に間欠的に、しかも多色に着色することができる魚釣用道糸の着色装置を提供することを課題とするものである。
【０００８】
【課題を解決するための手段】
上記課題を解決するため、本発明が採用した第１の技術手段は、道糸の走行経路の中途部直下の両側に配設した上下二段のブラケットに対向状に軸支されたスプロケットと、該スプロケットに懸回した無端チェンの対向間に、所要間隔を存して上下回動自在に跨設された上部開放状の複数個の着色剤充填容器と、該容器に充填される着色剤に表面の一部を接触する位置に回転自在に配設されたペイントローラとからなり、着色時にペイントローラを下方から道糸に間欠的に当接させて着色するように構成したことを特徴とするものである。
【０００９】
本発明が採用した第２の技術手段は、道糸の走行経路の中途部直下に配設した架台に水平回動自在に軸支した円盤状フレームと、該フレームの外周に放射状に配設した上部開放状の多数個の着色剤充填容器と、該容器に充填される着色剤に表面の一部を接触する回転自在に位置に配設されたペイントローラと、上記ペイントローラの下方に位置させて架台に配設されたペイントローラの昇降機構とからなり、着色時に昇降機構を介してペイントローラを上昇させ、下方から道糸に間欠的に当接させて着色するように構成したことを特徴とするものである。
【００１０】
【発明の実施の形態】
本発明の実施の形態を添付図面に基づいて詳細に説明する。
図１は第１の実施形態を示す着色工程の全体平面図、図２は同上全体側面図、図３は着色装置の要部を示す拡大平面図、図４は同上側面図、図５は同上斜視図、図６は第２の実施形態を示す着色工程の全体平面図、図７は同上全体側面図、図８は着色装置の要部を示す拡大平面図、図９は同上側面図である。上記図１、２、６、７において、着色が施される道糸１は給糸台２から順次糸揃部３の上方を経てサーボモータ４の回転子４ａ，４ｂ間を通過して着色装置５の上方に至り、更に乾燥部６内を通過して巻取部７に至る走行経路が形成されており、着色時には給糸台２に装備された複数個のボビン２ｂ、２ｂ…から繰出されて、巻取台７に装備された複数個のボビン７ｂ、７ｂ…に巻装された状態で行われる。
【００１１】
すなわち、給糸台２には、上下方向複数段に横架された支持軸２ａに、それぞれ道糸１を巻装した複数個のボビン２ｂ、２ｂ…が遊転自在に貫挿され、各道糸１、１…は糸揃部３に繰出される。
【００１２】
糸揃部３には、操作盤８を配設した架台３ａが配置されており、該架台３ａの前端側に多数本の道糸１、１…を並列状に揃えるための誘導案内杆３ｂが道糸１の走行路と直交方向に所要間隔を存して植立されており、その後方には並列状に揃えられた道糸１を支承する道糸載置台３ｃが配設されている。上記道糸載置台３ｃの後方位置にはテンションバー３ｄが片持状に支持され、緊張状態に保持された道糸１は更にサーボモータ４の回転子４ａ、４ａ間を通過して着色装置５の上方に繰出され、該着色装置５によって一定長毎に間欠的に着色される。
【００１３】
上記着色装置５は、図３ないし図５に示すように、前記架台３ａの後端部側に近接して立設された支持板９の両側縁から上下方向に所要の間隔を存して後方に水平状に突設した上下二段のブラケット９ａ、９ｂにそれぞれスプロケット１０、１１が対面状に軸支され、該ブラケット１０、１０および１１、１１間にそれぞれ懸回した無端チェン１２、１２の対向間には所要間隔を存して上部を開放した桶状の着色剤充填容器１３、１３…が複数個跨設され、該容器１３、１３に充填される様々な色の着色剤に表面の一部を接触する位置にペイントローラ１４、１４…が回転自在に配置されているとともに、上記着色剤充填容器１３、１３…は、無端チェン１２によって上下回動自在に構成されている。
【００１４】
すなわち、上記ペイントローラ１４は、その支持軸１４ａ、１４ａが着色時に道糸１の走行経路の一側方に配設した支承板１５上に配設されたサーボモータ１５ａの出力軸１５ｂと、これに対向して他側方に配設されたシリンダ１５ｃの進退自在なロッドとによって、両側方から挟着状に嵌合された際に、上記モータ１５ａの駆動により強制回転され、非着色時には強制回転が停止され、嵌合状態が解除されるように制御されている。また、上記無端チェン１２には、支承板１５の下方に配設されたサーボモータ１２ａの出力軸１２ｂと、スプロケット１０、１１を対面状に軸支した回転軸１２ｃに突成したスプロケット１２ｄとが無端チェン１２ｅを介して連動連結されており、上記モータ１２ａの駆動により上下方向に強制回動し、着色に使用する着色剤充填容器１３が道糸１の直下に位置した際停止するように制御されている。なお、無端チェン１２を上下方向に回動させる構成は、図示の者に限定されるものではなく、モータ１２ａを回転軸１２ｃに直結させる構成でもよい。
【００１５】
上記着色剤充填容器１３、１３…の上手側近傍位置には油圧機構からなる昇降機構１６が配設されており、該昇降機構１６には道糸１の走行経路の上方で、かつ直交方向に臨ませて突出するテンションバー１７が装備され、着色時にペイントローラ１４を下方から道糸１に当接させて着色する際、上記テンションバー１７は昇降機構１６により下降して道糸１に緊張を与え、非着色時には道糸１から上昇して緊張状態が解除されるようになっている。
【００１６】
図６ないし図９は着色装置５の他の実施例を示すものであって、この着色装置５は、道糸１の走行経路の中途部直下に配設した架台１８上にサーボモータ１８ａを介して水平回動自在に軸支した円盤状フーム１９と、該円盤状フレーム１９の外周に放射状に固設された支持板１９ａ、１９ａ…に配設され、上部を開放した桶状の複数個の着色剤充填容器１３’、１３’…と、該容器１３’、１３’…に充填される様々な着色剤に表面の一部を接触する位置に、支持軸１４”を介して上記容器１３’、１３’…の対向側板間に跨設されたペイントローラ１４’、１４’と、上記ペイントローラ１４’の直下に位置して架台１８に配設され上端部に前記支持板１９ａに形成した切欠部１９ｂに貫入されるペイントローラ押上体２０ａを装備した油圧機構からなる昇降機構２０とによって構成されている。２１は道糸１の着色に使用される着色剤充填容器１３’、１３’…の上手側近傍に位置するように配設されたテンションバーである。
【００１７】
上記サーボモータ１８ａによって水平回動される着色充填容器１３’、１３’…は、着色に使用する当該容器１３’が道糸１の直下に位置した際停止するように制御され、停止した容器１３’に配置されたペイントローラ１４’の支持軸１４”、１４”は、昇降機構２０の上昇方向への作動により伸張したロッド２０ｂの先端に固設した押上体２０ａが支持板１９ａ、１９ａの切欠部１９ｂ、１９ｂに貫入して押し上げられ、当該ペイントローラ１４’は道糸１に当接した状態となり、道糸１はテンションバー２１により緊張される。この時点でペイントローラ１４の支持軸１４”、１４”は、道糸１の走行経路の側方に位置して架台１８上に配設されたサーボモータ１８ｂの出力軸１８ｃと、これに対向して円盤状フレーム１９上に配設されたシリンダ１９ｃの進退自在なロッドとによって両側方から挟着状に嵌合された際に、上記モータ１８ｂの駆動により強制回転されるように制御され、非着色時には強制回転が停止されるとともに、昇降機構２０の下降方向への作動により押上体２０ａの下降に伴ってペイントローラ１４’も下降して元位置に戻るようになっている。
【００１８】
道糸１に対する一定長毎の着色は、ペイントローラ１４または１４’の表面を間欠的に道糸１に当接して行われ、例えは１０ｍの着色部と１ｍの無着色部とを交互に所定回繰返して形成し、次に色を変えて同じく所定回繰返して着色が順次に施されるものである。その際、色の変更は第１実施例の場合には、無端チェン１２を上下回動させて色の異なる別の着色剤充填容器１３のペイントローラ１４を道糸１に当接させればよく、また、第２実施例に場合には、円盤状フレーム９を水平回動させて色の異なる別の着色剤充填容器１３’のペイントローラ１４’を道糸１に当接させればよいので、簡単な操作で多色模様が容易に形成できる。
【００１９】
なお、一定長毎の着色部と無着色部の設定は、道糸１の走行時に接触しながら通過するサーボモータ４の回転子４ａ、４ｂの回転数で制御されるように、サーボモータ４が操作盤８の下方に配設した制御盤８ａに接続されており、操作盤８には着色部と無着色部の長さ設定が表示されるようになっている。また、道糸１に対する一定長毎の着色は、サーボモータ４による制御に限らず、従来公知のタイマー装置を利用して、道糸１の走行速度とペイントローラ１４，１４’の当接時間とによって制御してもよい。
【００２０】
ところで、着色が施される道糸１としては、強靭性、耐摩耗性を有するものであれば格別の限定はなく、例えば、ナイロンモノフィラメント、ポリエステルモノフィラメント、ポリアミドモノフィラメント、フロロカーボン系ポリマーモノフィラメントからなるものでもよく、また、通称ＰＥラインといわれているもの、すなわち１デニール程度のポリエチレンの単糸を複数本集束したものを更に複数本縒り合わせて製造されたものでもよいが、本実施例では上記ＰＥラインの道糸を使用した。
【００２１】
また、着色剤としての顔料も格別の限定はなく、例えば、カドニウムレッド、ペリレンレッド等の赤色系顔料、銅フタロシアニンブルー等の青色系顔料、カドニウムエロー、銅アゾメチンエロー等の黄色系顔料のいずれであってもよく、更に使用量は得ようとする色調、色合い等で任意に選定し、配合も道糸１の構成素材として使用する樹脂または他の樹脂で希釈したマスターバッチを調整しておき、これを所定量使用した。
【００２２】
上記着色装置５により一定長毎に間欠的に多色に着色された道糸１は、乾燥部６に繰出され、該乾燥部６を通過することによって乾燥される。乾燥部６は横長状の匡体に形成された乾燥室６ａが架台６ｂに載置されており、該乾燥室６ａに開閉自在に装備された蓋体６ｃの内側には、横長状の遠赤外線発光体６ｄが装備されているが、更に側板の内側に装備してもよく、また乾燥速度を高めるために、別途温風を吹き込んで乾燥させてもよい。なお、実施例では乾燥室６ａを３個連接したものを示したが、連接個数には格別の限定はない。
【００２３】
乾燥室６ａの後面板側には道糸の送りローラ６ｆが上下方向に対設されており、その後方に位置して架台６ｂの後端部には、並列状に揃えられた道糸１を分散するための誘導案内杆６ｇが道糸１の走行経路と直交方向に所要間隔を存して植設されており、乾燥された道糸１は送りローラ６ｆと誘導案内杆６ｇを通過して巻取台７に装備されたボビン７ｂに巻装される。
【００２４】
巻取台７には上下方向複数段に横架された支持軸７ａに複数個のボビン７ｂが遊転自在に貫挿され、上記支持軸７ａの直下に横架された回転軸７ｃには、ボビン７ｂの両端部に突成した鍔体に当接する鍔状回転体７ｄが軸方向に突成されている。上記回転軸７ｃの一端部にはスプロケット２２が軸支されており、該スプロケット２２と駆動モータ２３の出力軸に軸支したスプロケット２３ａとの間に無端チェン２４が懸回されており、複数個のボビン７ｂ、７ｂ…は駆動モータ２３によって回転される回転軸７ｃの鍔状回転体７ｄを介して回転され、減速された一定の速度で着色を施された道糸１を巻装するようになっている。。
【００２５】
【発明の効果】
以上の説明によって明らかなように、本発明によれば、道糸の走行経路の中途部直下に位置して、上下回動自在な無端チェンに所要間隔を存して様々な色の着色剤を充填した複数個の着色剤充填容器を配設するとともに、該容器に充填される着色剤に表面の一部を接触する位置に回転自在にペイントローラを配置し、または道糸の走行経路の中途部直下に位置して水平回動自在な円盤状フレームの外周に様々な色の着色剤を充填した複数個の着色剤充填容器を放射状に配設するとともに、該容器に充填される着色剤に表面の一部を接触する位置に回転自在にペイントローラを配置してなるものであるから、一基の着色装置でありながら、単にペイントローラを下方から道糸に間欠的に当接するのみで道糸に対して一定長毎に着色を施すことができるうえ、多色模様の形成も容易にでき、魚釣りの愛好者に正確な棚取りを行い得る道糸を提供することができる。
【図面の簡単な説明】
【図１】第１の実施形態を示す着色工程の全体平面図
【図２】同上全体側面図
【図３】着色装置の要部を示す拡大平面図
【図４】同上側面図
【図５】同上斜視図
【図６】第２の実施形態を示す着色工程の全体平面図
【図７】同上全体側面図
【図８】着色装置の要部を示す拡大平面図
【図９】同上側面図
【符号の説明】
１          道糸
２            給糸台
３          糸揃部
４          サーボモータ
５          着色装置
６          乾燥部
７          巻取台
８            操作盤
９ａ、９ｂ  ブラケット
１０、１１  スプロケット
１２        無端チェン
１３、１３’着色剤充填容器
１４、１４’ペイントローラ
１９        円盤状フレーム
２０        昇降機構
【図１】
0003587783.tif 000002
【図２】
0003587783.tif 000003
【図３】
0003587783.tif 000004
【図４】
0003587783.tif 000005
【図５】
0003587783.tif 000006
【図６】
0003587783.tif 000007
【図７】
0003587783.tif 000008
【図８】
0003587783.tif 000009
【図９】
0003587783.tif 000010